(57)【要約】【課題】ダウンリンク転送に対するアップリンク確認応答をエンコーディングするための移動端末または端末のような携帯装置を提供する。【解決手段】携帯装置は、それぞれ循環冗長検査コード（Ｃｙｃｌｉｃ  Ｒｅｄｕｎｄａｎｃｙ  Ｃｈｅｃｋ：ＣＲＣ）を含む多数のデータブロックを受信するように構成された受信機と、各データブロックのＣＲＣを検査することによって各データブロックに対する受信状態を決定するように構成されたプロセッサと、を含む。この携帯装置は、全てのデータブロックの受信状態を表す応答シーケンスを転送する転送機をさらに含む。【選択図】図２Ａ
2009540729.tif 000002
【特許請求の範囲】
【請求項１】
ダウンリンク転送に対するアップリンク確認応答をエンコーディングする方法において、
それぞれ循環冗長検査（Ｃｙｃｌｉｃ  Ｒｅｄｕｎｄａｎｃｙ  Ｃｈｅｃｋ：ＣＲＣ）コードを含む多数のデータブロックを受信する段階と、
前記各データブロックのＣＲＣを検査することによって前記各データブロックに対する受信状態を決定する段階と、
前記全てのデータブロックの受信状態を表す応答シーケンスを生成する段階と、
を含む、エンコーディング方法。
【請求項２】
前記データブロックは、第１転送ブロック（ｐｒｉｍａｒｙ  ｔｒａｎｓｐｏｒｔ  ｂｌｏｃｋ）及び第２転送ブロック（ｓｅｃｏｎｄａｒｙ  ｔｒａｎｓｐｏｒｔ  ｂｌｏｃｋ）を含む、請求項１に記載のエンコーディング方法。
【請求項３】
前記応答シーケンスは、離散応答シーケンス（ｄｉｓｃｒｅｔｅ  ｒｅｓｐｏｎｓｅ  ｓｅｑｕｅｎｃｅ）である、請求項１に記載のエンコーディング方法。
【請求項４】
前記応答シーケンスを、前記全てのデータブロックの受信状態を表す単一応答シーケンスとして生成する段階をさらに含む、請求項１に記載のエンコーディング方法。
【請求項５】
前記データブロックは、基地局から受信する、請求項１に記載のエンコーディング方法。
【請求項６】
前記状態は、データブロックが正しく受け取られたことを確認する肯定確認状態（ＡＣＫ）、または、データブロックが正しく受け取られなかったことを確認する否定確認状態（ＮＡＣＫ）である、請求項１に記載のエンコーディング方法。
【請求項７】
ＱＰＳＫ変調を用いて前記応答シーケンスを変調する段階をさらに含む、請求項１に記載のエンコーディング方法。
【請求項８】
前記応答シーケンスをノードＢに転送する段階をさらに含む、請求項１に記載のエンコーディング方法。
【請求項９】
前記ダウンリンク転送は、多重入出力（Ｍｕｌｔｉｐｌｅ  Ｉｎｐｕｔ  Ｍｕｌｔｉｐｌｅ  Ｏｕｔｐｕｔ：ＭＩＭＯ）転送を含む、請求項１に記載のエンコーディング方法。
【請求項１０】
前記データブロックを並列に受信する段階をさらに含む、請求項９に記載のエンコーディング方法。
【請求項１１】
前記ダウンリンク転送は、時分割複信（Ｔｉｍｅ  Ｄｉｖｉｓｉｏｎ  Ｄｕｐｌｅｘ：ＴＤＤ）転送を含む、請求項１に記載のエンコーディング方法。
【請求項１２】
前記データブロックを順次に受信する段階をさらに含む、請求項１１に記載のエンコーディング方法。
【請求項１３】
前記データブロックを並列に受信する段階をさらに含む、請求項１１に記載のエンコーディング方法。
【請求項１４】
ダウンリンク転送に対するエンコーディングされたアップリンク確認応答を受信する方法において、
それぞれ循環冗長検査（Ｃｙｃｌｉｃ  Ｒｅｄｕｎｄａｎｃｙ  Ｃｈｅｃｋ：ＣＲＣ）コードを含む多数のデータブロックを並列に転送する段階と、
前記全てのデータブロックの受信状態を表す単一応答シーケンスを受信する段階と、
を含む、受信方法。
【請求項１５】
前記データブロックは、第１転送ブロック（ｐｒｉｍａｒｙ  ｔｒａｎｓｐｏｒｔ  ｂｌｏｃｋ）及び第２転送ブロック（ｓｅｃｏｎｄａｒｙ  ｔｒａｎｓｐｏｒｔ  ｂｌｏｃｋ）を含む、請求項１４に記載の受信方法。
【請求項１６】
前記データブロックは基地局から転送する、請求項１４に記載の受信方法。
【請求項１７】
前記状態は、データブロックが正しく受け取られたことを確認する肯定確認状態（ＡＣＫ）、または、データブロックが正しく受け取られなかったことを確認する否定確認状態（ＮＡＣＫ）である、請求項１４に記載の受信方法。
【請求項１８】
前記応答シーケンスは、ＱＰＳＫ変調を用いて変調される、請求項１４に記載の受信方法。
【請求項１９】
前記ダウンリンク転送は、多重入出力（Ｍｕｌｔｉｐｌｅ  Ｉｎｐｕｔ  Ｍｕｌｔｉｐｌｅ  Ｏｕｔｐｕｔ：ＭＩＭＯ）転送を含む、請求項１４に記載の受信方法。
【請求項２０】
前記ダウンリンク転送は、時分割複信（ＴＤＤ）転送を含む、請求項１４に記載の受信方法。
【請求項２１】
ダウンリンク転送に対するアップリンク確認応答をエンコーディングする携帯装置において、
それぞれ循環冗長検査（Ｃｙｃｌｉｃ  Ｒｅｄｕｎｄａｎｃｙ  Ｃｈｅｃｋ：ＣＲＣ）コードを含む多数のデータブロックを受信するように構成された受信機と、
前記各データブロックのＣＲＣを検査することによって前記各データブロックに対する受信状態を決定するように構成されたプロセッサと、
前記全てのデータブロックの受信状態を表す応答シーケンスを転送する転送機と、
を含む、携帯装置。
【請求項２２】
前記データブロックは、第１転送ブロック（ｐｒｉｍａｒｙ  ｔｒａｎｓｐｏｒｔ  ｂｌｏｃｋ）及び第２転送ブロック（ｓｅｃｏｎｄａｒｙ  ｔｒａｎｓｐｏｒｔ  ｂｌｏｃｋ）を含む、請求項２１に記載の携帯装置。
【請求項２３】
前記応答シーケンスは、離散応答シーケンスである、請求項２１に記載の携帯装置。
【請求項２４】
前記プロセッサは、さらに、前記応答シーケンスを前記全てのデータブロックの受信状態を表す単一応答シーケンスとして生成するように構成される、請求項２１に記載の携帯装置。
【請求項２５】
前記受信機は、さらに、前記データブロックを基地局から受信するように構成される、請求項２１に記載の携帯装置。
【請求項２６】
前記状態は、データブロックが正しく受け取られたことを確認する肯定確認状態（ＡＣＫ）、または、データブロックが正しく受け取られなかったことを確認する否定確認状態（ＮＡＣＫ）である、請求項２１に記載の携帯装置。
【請求項２７】
前記プロセッサは、さらに、ＱＰＳＫ変調を用いて前記応答シーケンスを変調するように構成される、請求項２１に記載の携帯装置。
【請求項２８】
前記転送機は、さらに、前記応答シーケンスを基地局に転送するように構成される、請求項２１に記載の携帯装置。
【請求項２９】
前記ダウンリンク転送は、多重入出力転送を含む、請求項２１に記載の携帯装置。
【請求項３０】
前記受信機は、さらに、前記データブロックを並列に受信するように構成される、請求項２９に記載の携帯装置。
【請求項３１】
前記ダウンリンク転送は、時分割複信（ＴＤＤ）転送を含む、請求項２１に記載の携帯装置。
【請求項３２】
前記受信機は、さらに、前記データブロックを順次に受信するように構成される、請求項３１に記載の携帯装置。
【請求項３３】
前記受信機は、さらに、前記データブロックを並列に受信するように構成される、請求項３１に記載の携帯装置。
【請求項３４】
ダウンリンク転送に対するエンコーディングされたアップリンク確認応答を受信するように構成され、無線通信システムで動作可能な転送エンティティにおいて、
それぞれ循環冗長検査（Ｃｙｃｌｉｃ  Ｒｅｄｕｎｄａｎｃｙ  Ｃｈｅｃｋ：ＣＲＣ）コードを含む多数のデータブロックを並列に転送する転送機と、
前記全てのデータブロックの受信状態を表す単一応答シーケンスを受信する受信機と、
を含む、転送エンティティ。
【請求項３５】
前記データブロックは、第１転送ブロック（ｐｒｉｍａｒｙ  ｔｒａｎｓｐｏｒｔ  ｂｌｏｃｋ）及び第２転送ブロック（ｓｅｃｏｎｄａｒｙ  ｔｒａｎｓｐｏｒｔ  ｂｌｏｃｋ）を含む、請求項３４に記載の転送エンティティ。
【請求項３６】
前記転送機は、さらに、前記データブロックが基地局から転送されるように構成される、請求項３４に記載の転送エンティティ。
【請求項３７】
前記状態は、データブロックが正しく受け取られたことを確認する肯定確認状態（ＡＣＫ）、または、データブロックが正しく受け取られなかったことを確認する否定確認状態（ＮＡＣＫ）である、請求項３４に記載の転送エンティティ。
【請求項３８】
ＱＰＳＫ変調を用いて前記応答シーケンスを変調する変調器をさらに含む、請求項３４に記載の転送エンティティ。
【請求項３９】
前記ダウンリンク転送は、多重入出力（Ｍｕｌｔｉｐｌｅ  Ｉｎｐｕｔ  Ｍｕｌｔｉｐｌｅ  Ｏｕｔｐｕｔ：ＭＩＭＯ）転送を含む、請求項３４に記載の転送エンティティ。
【請求項４０】
前記ダウンリンク転送は、時分割複信（ＴＤＤ）転送を含む、請求項３４に記載の転送エンティティ。
【請求項４１】
ダウンリンク転送に対するアップリンク確認応答をエンコーディングする方法において、
それぞれ循環冗長検査（Ｃｙｃｌｉｃ  Ｒｅｄｕｎｄａｎｃｙ  Ｃｈｅｃｋ：ＣＲＣ）コードを含む多数のデータブロックを受信する段階と、
前記各データブロックのＣＲＣを検査することによって前記各データブロックに対する受信状態を決定する段階と、
前記状態によって応答ビットを生成する段階と、
前記応答ビットを、固定された長さのシーケンスにマッピングし、マッピングされたシーケンスを生成する段階と、
アップリンク転送で前記マッピングされたシーケンスを転送する段階と、
所定の時間周期で前記マッピング及び転送を反復する段階と、
を含む、エンコーディング方法。
【請求項４２】
応答ビットを生成する段階と、
前記応答ビットを、固定された長さのシーケンスにマッピングし、マッピングされたシーケンスを生成する段階と、
をさらに含む、請求項４１に記載のエンコーディング方法。
【発明の詳細な説明】
【技術分野】
【０００１】
本発明は、無線通信に関するもので、特に、ダウンリンク転送に対するアップリンク応答をエンコーディングする装置及びその方法に関する。
【背景技術】
【０００２】
一つの多重搬送波通信方式は多数の直交副搬送波を通じてデータを転送する。このような例のシステムは、典型的に高速転送率を要求し、無線近距離網（ＬＡＮｓ）及び移動インターネット技術を含む。典型的な多重搬送波通信方式は、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）、離散フーリエ変換−拡散−直交周波数分割多重（ＤＦＴ−Ｓ−ＯＦＤＭまたはＤＥＴ−Ｓｐｒｅａｄｉｎｇ−ＯＦＤＭ）（ＳＣ−ＦＤＭＡとも称する）、及び直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：ＯＦＤＭＡ）を含む。ＯＦＤＭ及びＯＦＤＭＡは、副搬送波（ｓｕｂｃａｒｒｉｅｒｓ）の直交性を維持することによって高い転送率を得ることができるが、度々高いピーク対平均電力比（Ｐｅａｋ  ｔｏ  Ａｖｅｒａｇｅ  ＰｏｗｅｒＲａｔｉｏ：ＰＡＰＲ）を有する。ＤＦＴ−Ｓ−ＯＦＤＭＡはＰＡＰＲ問題を克服するように具現されたもので、例えば、ＤＦＴ−Ｓ−ＯＦＤＭＡは、ＯＦＤＭ信号を生成する前に周波数領域でＤＦＴ行列による第１拡散信号（ｓｐｒｅａｄｉｎｇ  ｓｉｇｎａｌｓ）により機能する。拡散されたこれらの信号は、従来のＯＦＤＭ技術を用いて周知の方式で変調されて転送されることができる。この技術について説明すると、下記の通りである。
【０００３】
図１は、従来のＤＦＴ−Ｓ−ＯＦＤＭＡシステムによる転送信号の生成を示すフローチャートである。ブロック１１０及び１２０によると、典型的なＤＦＴ−Ｓ−ＯＦＤＭ無線通信システムは、ＯＦＤＭ信号を生成する前にＤＦＴ行列を用いて信号を拡散する。“ｓ”は入力データシンボル、“ｘ”は周波数領域で拡散されたデータ、及び“Ｎｂ”は特定使用者に対する副搬送波の個数である式とすれば、拡散されたデータ“ｘ”は、下記の式から得ることができる：
【０００４】
【数１】
2009540729.tif 000003
ブロック１３０、１４０及び１５０によると、拡散ベクトル（ｓｐｒｅａｄ  ｖｅｃｔｏｒ）“ｘ”は、副搬送波マッピング技術によって副搬送波にマッピングされたことを示し、受信エンティティ（ｒｅｃｅｉｖｉｎｇ  ｅｎｔｉｔｙ）への転送のための信号を獲得するために逆離散フーリエ変換（Ｉｎｖｅｒｓｅ  Ｄｉｓｃｒｅｔｅ  Ｆｏｕｒｉｅｒ  Ｔｒａｎｓｆｏｒｍ：ＩＤＦＦ）モジュールを経て時間領域に変換される。転送信号“ｙ”は、下記のようにして得られる：
【０００５】
【数２】
2009540729.tif 000004
このような方式で生成される信号“ｙ”は、挿入された循環前置（ブロック１６０）と共に転送される。
【０００６】
その後、データ、パイロット及び制御情報は、例えばＤＦＴ−Ｓ−ＯＦＤＭを含む多重搬送波システムのアップリンクで転送される。制御情報は、データ復調と関連しているデータ関連制御情報（ｄａｔａ−ａｓｓｏｃｉａｔｅｄ  ｃｏｎｔｒｏｌ  ｉｎｆｏｒｍａｔｉｏｎ）とデータ復調と関連していない非データ関連制御情報（ｎｏｎ−ｄａｔａ−ａｓｓｏｃｉａｔｅｄ  ｃｏｎｔｒｏｌ  ｉｎｆｏｒｍａｔｉｏｎ）とに分けられる。
【０００７】
データ関連制御情報は、端末（Ｕｓｅｒ  Ｅｑｕｉｐｍｅｎｔ：ＵＥ）により転送されたデータを復旧するのに必要な制御情報を含む。例えば、データ関連制御情報は、転送フォーマットに関連する情報またはハイブリッド自動再送要求（Ｈｙｂｒｉｄ  Ａｕｔｏｍａｔｉｃ  Ｒｅｐｅａｔ  Ｒｅｑｕｅｓｔ：ＨＡＲＱ）関連情報を含むことができる。データ関連制御情報の量は、アップリンクデータスケジューリング方式によって調節されることができる。
【０００８】
一方、非データ関連制御情報は、ダウンリンク転送に必要な制御情報である。例えば、非データ関連制御情報は、ＨＡＲＱ動作のための肯定応答（ＡＣＫ）または否定応答（ＮＡＣＫ）情報、そしてダウンリンクのリンク適応（ｌｉｎｋ  ａｄａｐｔａｔｉｏｎ）のためのチャネル品質表示子（Ｃｈａｎｎｅｌ  Ｑｕａｌｉｔｙ  Ｉｎｄｉｃａｔｏｒ：ＣＱＩ）を含むことができる。
【０００９】
アップリンク多重搬送波または単一搬送波ＦＤＭＡシステムにおいて、制御情報は、使用者データを復調するためのデータ関連制御情報とダウンリンク転送のための非データ関連制御情報とに分けられる。ＯＦＤＭの基本原理は、高速転送率を持つデータストリームを多数のデータストリームに分割し、分割された各データストリームが低速の転送率を有し、多数の搬送波を介して同時に転送されるということである。それぞれの搬送波は、副搬送波と呼ばれる。ＯＦＤＭの搬送波間には直交性が存在するので、各搬送波の周波数成分が互いに重畳されても、送信端は依然として周波数成分を検出することができる。
【００１０】
高速の転送率を持つデータストリームは直列−並列変換器を通して低速の転送率を持つ多数のデータストリームに変換される。並列−転換されたデータストリームのそれぞれは、対応する副搬送波と乗算され、互いに合算されたのち、受信端に転送される。
【００１１】
直列−並列変換器により生成された並列データストリームは、ＩＤＦＴにより多数の副搬送波として転送されることができる。ＩＤＦＴは、逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）を用いて效率的に実行されることができる。
【００１２】
低速転送率を持つ副搬送波のシンボル周期が増加するにつれて、多重−経路遅延拡散により起きる関連信号分散が時間領域で減少する。シンボル間干渉（Ｉｎｔｅｒ−Ｓｙｍｂｏｌ  Ｉｎｔｅｒｆｅｒｅｎｃｅ：ＩＳＩ）は、ＯＦＤＭシンボルの間にチャネル遅延拡散よりも長い保護区間（Ｇｕａｒｄ  Ｉｎｔｅｒｖａｌ：ＧＩ）を挿入することによって減らすことができる。ＯＦＤＭ信号の部分が保護区間に複写されてシンボルの開始部分に配置されると、ＯＦＤＭシンボルは循環的に拡張されて保護される。
【００１３】
端末（ＵＥ）がアップリンクで制御情報を転送する時に充分の数の副搬送波を非データ関連制御情報に割り当てると、データ転送に用いられる周波数資源の量が減ることができる。結果として、この技術は多数の副搬送波が割り当てられない結果を招き、よって、周波数領域でダイバーシティ利得（ｄｉｖｅｒｓｉｔｙ  ｇａｉｎ）を得る能力に影響を及ぼす。
【００１４】
典型的な端末は、非データ関連制御情報のうち、ＡＣＫ／ＮＡＣＫ及びＣＱＩ信号をアップリンクで個別に転送する。例えば、端末は、特別な時間周期でＡＣＫ／ＮＡＣＫ信号、ＣＱＩ信号、またはこれら信号の両方とも転送する。しかし、従来の多重搬送波システムは非データ関連制御情報を構成する各信号を区分して処理せず、これは周波数資源の効率的な利用を妨害することにつながる。
【００１５】
ＡＣＫ／ＮＡＣＫ及びＣＱＩ信号は、ＤＦＴ−Ｓ−ＯＦＤＭ通信システムのアップリンクで単一離散フーリエ変換を用いて転送される。多数の使用者は典型的に同じ資源ユニットを共有する。例えば、同一の資源ユニットでもってある使用者がＡＣＫ／ＮＡＣＫ信号を転送し、他の使用者がＣＱＩ信号を転送するとすれば、基地局では二人の使用者のＡＣＫ／ＮＡＣＫ及びＣＱＩ信号を復調することが不可能になり得る。
【発明の概要】
【課題を解決するための手段】
【００１６】
本発明の特徴及び利点は以下に説明され、一部は下記の説明から自明になるか、本発明の実施により得ることができる。本発明の目的及び他の利点は、添付の図面の他に、下記の詳細な説明及び特許請求の範囲で特別に指摘された構成によって実現されて達成されることができる。
【００１７】
一実施例によれば、ダウンリンク転送に対するアップリンク確認応答をエンコーディングする方法は、それぞれ循環冗長検査（Ｃｙｃｌｉｃ  Ｒｅｄｕｎｄａｎｃｙ  Ｃｈｅｃｋ：ＣＲＣ）コードを含む多数のデータブロックを受信する段階を含む。この方法は、各データブロックのＣＲＣを検査することによって、各データブロックに対する受信状態を決定する段階と、これら全てのデータブロックの受信状態を表す応答シーケンスを生成する段階と、をさらに含む。
【００１８】
一特徴によれば、これらのデータブロックは、第１転送ブロック（ｐｒｉｍａｒｙ  ｔｒａｎｓｐｏｒｔ  ｂｌｏｃｋ）及び第２転送ブロック（ｓｅｃｏｎｄａｒｙ  ｔｒａｎｓｐｏｒｔ  ｂｌｏｃｋ）を含む。
【００１９】
他の特徴によれば、上記応答シーケンスは、離散応答シーケンス（ｄｉｓｃｒｅｔｅ  ｒｅｓｐｏｎｓｅ  ｓｅｑｕｅｎｃｅ）である。
【００２０】
さらに他の特徴によれば、上記方法は、全てのデータブロックの受信状態を表示する単一応答シーケンスとして応答シーケンスを生成する段階をさらに含む。
【００２１】
さらに他の特徴によれば、ノードＢからデータブロックを受信する。
【００２２】
一様相によれば、上記状態は、データブロックが正しく受け取られたことを確認する肯定応答（ＡＣＫ）またはデータブロックが正しく受け取られなかったことを確認する否定応答（ＮＡＣＫ）である。
【００２３】
他の様相によれば、上記方法は、ＱＰＳＫ変調を用いて応答シーケンスを変調する段階をさらに含む。
【００２４】
さらに他の様相によれば、上記方法は、応答シーケンスをノードＢに転送する段階をさらに含む。
【００２５】
さらに他の様相によれば、上記ダウンリンク転送は、多重入出力（Ｍｕｌｔｉｐｌｅ  Ｉｎｐｕｔ  Ｍｕｌｔｉｐｌｅ  Ｏｕｔｐｕｔ：ＭＩＭＯ）転送を含む。
【００２６】
一特徴によれば、上記方法は、データブロックを並列に受信する段階をさらに含む。
【００２７】
他の特徴によれば、ダウンリンク転送は、時分割複信（Ｔｉｍｅ  Ｄｉｖｉｓｉｏｎ  Ｄｕｐｌｅｘ：ＴＤＤ）転送を含む。
【００２８】
さらに他の特徴によれば、上記方法は、データブロックを順次に受信したりまたはデータブロックを並列に受信する段階をさらに含む。
【００２９】
他の実施例によれば、ダウンリンク転送に対するエンコーディングされたアップリンク確認応答を受信する方法は、それぞれの循環冗長検査（ＣＲＣ）コードを含む多数のデータブロックを並列に転送する段階を含む。この方法は、これら全てのデータブロックの受信状態を表す単一応答シーケンスを受信する段階をさらに含む。
【００３０】
さらに他の実施例によれば、ダウンリンク転送に対するアップリンク確認応答をエンコーディングする携帯装置は、循環冗長検査コードをそれぞれ含む多数のデータブロックを受信するように構成された受信機と、各データブロックのＣＲＣを検査することによって各データブロックの受信状態を決定するように構成されたプロセッサと、を含む。この携帯装置は、全てのデータブロックの受信状態を表す応答シーケンスを転送する転送機をさらに含む。
【００３１】
さらに他の実施例によれば、無線通信システムで動作可能であり、ダウンリンク転送に対するエンコーディングされたアップリンク確認応答を受信するように構成された転送エンティティ（ｅｎｔｉｔｙ）は、循環冗長検査（ＣＲＣ）コードをそれぞれ含む多数のデータブロックを並列に転送する転送機と、これら全てのデータブロックの受信状態を表す単一応答シーケンスを受信する受信機と、を含む。
【００３２】
さらに他の実施例によれば、ダウンリンク転送に対するアップリンク確認応答をエンコーディングする方法は、循環冗長検査（ＣＲＣ）コードをそれぞれ含む多数のデータブロックを受信する受信段階と、各データブロックのＣＲＣを検査することによって各データブロックに対する受信状態を決定する段階と、この状態によって応答ビットを生成する段階と、を含む。この方法は、応答ビットを固定された長さのシーケンスにマッピングし、マッピングされたシーケンスを生成する段階と、該マッピングされたシーケンスをアップリンク転送で転送する段階と、このマッピング及び転送を所定の時間周期で反復する段階と、をさらに含む。
【００３３】
また、これらの及び他の実施例は、添付の図面に基づく実施例の詳細な説明から当業者にとっては自明になり、開示されたいかなる特定の実施例によっても本発明が限定されることはない。
【図面の簡単な説明】
【００３４】
【図１】従来のＤＦＴ−Ｓ−ＯＦＤＭＡシステムによる転送信号の生成を示すフローチャートである。
【図２Ａ】拡散ベクトルを獲得するために制御情報ベクトルを集合的に拡散するようにするアップリンクでの端末転送を示す図である。
【図２Ｂ】本発明の一実施例によるＤＦＴ−Ｓ−ＯＦＤＭ無線通信システムでアップリンク転送のための他の配置を示す図である。
【図２Ｃ】本発明の一実施例によるＤＦＴ−Ｓ−ＯＦＤＭＡ無線通信システムでアップリンク転送のためのさらに他の配置を示す図である。
【図３Ａ】ＤＦＴ−Ｓ−ＯＦＤＭ無線通信システムで時分割複信（ＴＤＤ）を用いたアップリンクサブフレームフォーマットを示す図である。
【図３Ｂ】ＤＦＴ−Ｓ−ＯＦＤＭ無線通信システムで周波数分割複信（ＦＤＤ）を用いたアップリンクサブフレームフォーマットを示す図である。
【図４Ａ】本発明の実施例によるＤ−Ｓ−ＯＦＤＭ無線通信システム内で送信端末動作でＢＥＲを減らすための技術を示すブロック図である。
【図４Ｂ】本発明の実施例によるＤ−Ｓ−ＯＦＤＭ無線通信システム内で送信端末動作でＢＥＲを減らすための技術を示すブロック図である。
【図５】本発明の実施例による割り当てられる副搬送波を選択する方法を示すブロック図である。
【図６】アップリンクサブフレームフォーマットを示す図である。
【図７】アップリンク多重化（ｍｕｌｔｉｐｌｅｘｉｎｇ）方式を示す図である。
【図８】アップリンク多重化（ｍｕｌｔｉｐｌｅｘｉｎｇ）方式を示す図である。
【図９Ａ】ＳＣ−ＦＤＭＡ／ＯＦＤＭＡシステムのアップリンクでＡＣＫ／ＮＡＣＫ信号転送用周波数資源を割り当てることと関連した実施例を示す図である。
【図９Ｂ】ＳＣ−ＦＤＭＡ／ＯＦＤＭＡシステムのアップリンクでＡＣＫ／ＮＡＣＫ信号転送用周波数資源を割り当てることと関連した実施例を示す図である。
【図９Ｃ】ＳＣ−ＦＤＭＡ／ＯＦＤＭＡシステムのアップリンクでＡＣＫ／ＮＡＣＫ信号転送用周波数資源を割り当てることと関連した実施例を示す図である。
【図１０Ａ】ＭＩＭＯ無線移動通信システムで用いるために構成されたＳＣＷ及びＭＣＷ送信端を示す図である。
【図１０Ｂ】ＭＩＭＯ無線移動通信システムで用いるために構成されたＳＣＷ及びＭＣＷ送信端を示す図である。
【図１１】本発明の実施例によるＡＣＫ／ＮＡＣＫ転送装置を示すブロック図である。
【図１２】本発明の他の実施例によるＡＣＫ／ＮＡＣＫ転送装置を示すブロック図である。
【図１３Ａ】多数の副搬送波の地域割当を示す図である。
【図１３Ｂ】多数の副搬送波の分散された割当を示す図である。
【図１４】ＯＦＤＭを用いてアップリンク転送する方法を示す図である。
【図１５】ＤＦＴ−Ｓ−ＯＦＤＭＡによる転送信号の生成を示すフローチャートである。
【図１６】接近して配置された副搬送波の一例を示す図である。
【図１７】改善された地域割当を用いた副搬送波配置の一例を示す図である。
【図１８】ＡＣＫ／ＮＡＣＫ信号転送用副搬送波の分布を示す図である。
【図１９Ａ】改善された分散割当を用いて二つの副搬送波が一つのグループとして構成された副搬送波配置を示す図である。
【図１９Ｂ】改善された分散割当を用いて二つの副搬送波が一つのグループとして構成された副搬送波配置を示す図である。
【図２０Ａ】追加的な副搬送波配置を示す図である。
【図２０Ｂ】追加的な副搬送波配置を示す図である。
【発明を実施するための形態】
【００３５】
以下、添付の図面を参照しつつ本発明の好適な実施例について詳細に説明する。なお、他の実施例において、本発明の範囲を逸脱しない限度内で手順上の変化だけでなく、構造的、電気的変化ができるということは当業者にとっては自明である。図面中、同一の構成要素には可能な限り同一の参照番号を付する。
【００３６】
以下、端末と関連付けて様々な実施例を開示する。しかし、それらの技術は、移動端末（ｍｏｂｉｌｅ  ｔｅｒｍｉｎａｌｓ）、移動局（ｍｏｂｉｌｅ  ｓｔａｔｉｏｎ）などの無線端末の他のタイプにも適用されることができる。
【００３７】
アップリンクでの制御情報ベクトルの拡散
図２Ａ〜図２Ｃは、本発明の実施例によってＤＦＴ−Ｓ−ＯＦＤＭ無線通信システムで動作可能なアップリンク転送エンティティの様々な要素を例示するブロック図である。まず、このような通信システムで転送エンティティとして構成された端末を考慮する。端末は、ＡＣＫ／ＮＡＣＫ、チャネル品質表示子（ＣＱＩ）及び他の形態の非データ関連制御情報のような制御情報を受信して区別する。このような制御情報はデータ復調に関連していない。一般的に、ＡＣＫ／ＮＡＣＫは、ダウンリンク信号中に挿入された循環冗長検査コード（ＣＲＣｓ）の数に基盤している１つまたはそれ以上のビットを含むベクトルである。一般的に、ＣＱＩは、例えば、関連する基地局またはノードＢにチャネル品質状態を報告する多数のビットを含むベクトルである。ＣＱＩは、基地局でダウンリンクスケジューリングを容易にする。以下ではＡＣＫ／ＮＡＣＫベクトルの大きさは“ｌ”で、ＣＱＩベクトルの大きさは“ｍ”である実施例が説明されるが、これに限定されるわけではない。
【００３８】
図２Ａは、ｎ＝ｌ＋ｍ大きさのビットを持つ拡散ベクトル（Ｘ'ＡＣＫ＋ＣＱＩ）を獲得するために、制御情報ベクトル（ＤＦＴを通じてｌ＋ｍ大きさとなった）を集合的に拡散するアップリンクでのＵＥ転送を示す図である。他の動作は、副搬送波マッピングによって得たベクトル（Ｘ"ＡＣＫ＋ＣＱＩ）を逆高速フーリエ変換（ＩＦＦＴ）を行って時間情報（ｙ'ＡＣＫ＋ＣＱ）を獲得して転送する。
【００３９】
このシナリオで、一つの端末はＡＣＫ／ＮＡＣＫを転送し、他の端末は同じ資源ブロックを用いてＣＱＩを転送する場合、Ｘ”ＡＣＫ＋ＣＱＩベクトルから各副搬送波を除去することによって獲得されるＸ’ＡＣＫ＋ＣＱＩベクトルを受信基地局が逆拡散（ｄｅｓｐｒｅａｄｉｎｇ）するためにＩＤＦＴを選択し難い。ベクトルＸ”ＡＣＫ＋ＣＱＩは、送信端で行われたＩＦＦＴに対応する高速フーリエ変換（ＦＦＴ）を通じて基地局により獲得されることができる。端末により転送された信号は典型的にベクトルＸ”ＡＣＫ＋ＣＱＩ及びベクトルＸ’ＡＣＫ＋ＣＱＩを区分不可能に拡散される。これは、端末が同じ資源ブロックを使用する場合、二つまたはそれ以上の端末から受信した信号を分析するのに使われるＩＤＦＴ間を区分する必要があるためである。
【００４０】
図２Ｂは、本発明の一実施例によるＤＦＴ−Ｓ−ＯＦＤＭ無線通信システムでアップリンク転送のための他の配置を示す図である。図２Ｂによって転送するように構成された端末は、上述したような様々な形態の制御情報を区別して受信する。この実施例で、端末は、これらのパラメータを対応する副搬送波にマッピングする前に、異なるＤＦＴを用いてＡＣＫ／ＮＡＣＫ及びＣＱＩ制御情報を拡散する。大きさ１のベクトルＡＣＫ／ＮＡＣＫ（ＸＡＣＫ）及び大きさｍのベクトルＣＱＩ（ＸＣＱＩ）は異なるＤＦＴを用いて拡散するので、大きさ１及びｍのこれらの拡散ベクトル（Ｘ’ＡＣＫ）及び（Ｘ’ＣＱＩ）もまた、それぞれＡＣＫ／ＮＡＣＫ情報及びＣＱＩ情報を含む。
【００４１】
拡散ベクトルＸ’ＡＣＫ及びＸ’ＣＱＩは対応する副搬送波にマッピングされ、ＩＦＦＴ変換された後、基地局に転送される。この実施例によって、同じ資源ブロックを用いて一つの端末はＡＣＫ／ＮＡＣＫを転送し、他の端末がＣＱＩ情報を転送すると、ベクトルＸ”ＡＣＫ及びＸ”ＣＱＩからそれぞれ副搬送波を除去することによってそれぞれ獲得されるベクトルＸ’ＡＣＫ及びＸ’ＣＱＩを逆拡散するためのＩＤＦＴを容易に選択することができる。ベクトルＸ”ＡＣＫ及びＸ”ＣＱＩは送信端で行われるＩＦＦＴに対応するＦＦＴを通じて基地局によって獲得されることができ、例示された場合は端末である。
【００４２】
図２Ｂは、ＡＣＫ／ＮＡＣＫ及びＣＱＩのような制御情報間を区分する一例である。しかし他の形態の情報も、例示された技術を用いて同様に区分されることができる。例えば、図２Ｂの技術は、アップリンクを通じて転送するための周波数資源にマッピングする前に２またはそれ以上の制御信号（情報）が受け取られ、異なるＤＦＴを用いて拡散する状況にも適用されることができる。これは、アップリンク信号を受信する受信エンティティが、周波数資源から逆マッピング（ｄｅｍａｐｐｅｄ）された制御情報を通じて、転送された２以上の形態の制御情報を区分するのを可能にする。
【００４３】
図２Ｂの実施例は、個別ＤＦＴを用いて制御情報を個別的に拡散するが、本発明の開示によって様々な代案が可能であり且つ想定されることができる。例えば、個別のＤＦＴプロセスは選択的に任意のプロセスを含むことができるが、かかるプロセスは、アップリンク信号を受信するエンティティが異なる形態の制御情報間を区分することを許容するように提供される。
【００４４】
図２Ｃは、本発明の一実施例によるＤＦＴ−Ｓ−ＯＦＤＭ無線通信システム内でアップリンク転送のための他の構造を示す図である。本実施例で、例えば、転送端末は、ＡＣＫ／ＮＡＣＫ制御情報を副搬送波に直接マッピングする。これはＤＦＴを行うことなく達成でき、結果としてＸ”ＡＣＫを獲得する。図２Ｃでは、さらにＤＦＴを用いてＣＱＩ制御情報を変換し、その後、副搬送波に拡散ベクトルＸ’ＣＱＩをマッピングしてＸ”ＣＱＩを獲得する。
【００４５】
一般的に、ＡＣＫ／ＮＡＣＫ情報に対応するベクトルの大きさは、ＣＱＩ情報に対応するベクトルの大きさよりも小さい。したがって、ＡＣＫ／ＮＡＣＫ情報に対応するベクトルを拡散することによって達成される効果は相対的に小さい。この実施例は、ＡＣＫ／ＮＡＣＫ信号のＤＦＴプロセシングが省略される範囲に単純化される。しかし、この実施例は、基地局が、ＦＦＴが行われた情報アイテムを正確に区分できるので、図２Ｂの場合におけると同様な効果を得る。好ましくは、図２Ｃの実施例は、個別ＤＦＴ拡散ではなく任意の個別プロセスを含んでも良いが、このようなプロセスは、受信エンティティが異なる形態の制御情報を区分するのを可能にする。
【００４６】
図２Ｃの実施例は、ＰＡＰＲ性能を改善する構造をさらに含んでも良い。例えば、ＡＣＫ／ＮＡＣＫ信号はＤＦＴ無しに直接副搬送波にマッピングされた後、転送のためのＩＦＦＴが行なわれる場合、ＤＦＴ及びＩＦＦＴ間の相殺効果（ｃｏｍｐｅｎｓａｔｉｏｎ  ｅｆｆｅｃｔ）はＰＡＰＲ性能を低下させる（性能については図２Ｂの構成により達成できる）。このため、図２Ｃによって構成された端末はＰＡＰＲ性能を改善するために特定副搬送波を選択でき、その後、選択された副搬送波にＡＣＫ／ＮＡＣＫ信号をマッピングすることができる。
【００４７】
図３Ａは、ＤＦＴ−Ｓ−ＯＦＤＭ無線通信システムで時間分割多重化（Ｔｉｍｅ  Ｄｉｖｉｓｉｏｎ  Ｍｕｌｔｉｐｌｅｘｉｎｇ：ＴＤＭ）を用いるアップリンクサブフレームフォーマットを示す図である。図３Ｂは、ＤＦＴ−Ｓ−ＯＦＤＭ無線通信システムで周波数分割多重化（Ｆｒｅｑｕｅｎｃｙ  Ｄｉｖｉｓｉｏｎ  Ｍｕｌｔｉｐｌｅｘｉｎｇ：ＦＤＭ）を用いたアップリンクサブフレームフォーマットを示す図である。
【００４８】
一般に、ＤＦＴ−Ｓ−ＯＦＤＭ無線通信システムでＡＣＫ／ＮＡＣＫ制御情報は、１ビット、または相対的に小さいビット数のうちの一つで表現される。その結果、無線チャネル内で様々な要因によってビット誤り率（Ｂｉｔ  Ｅｒｒｏｒ  Ｒａｔｅ：ＢＥＲ）は多少悪化することができる。ＤＦＴ−Ｓ−ＯＦＤＭ無線通信システムにおいて典型的な多重化方法は、ＴＤＭ（図３Ａ）及びＦＤＭ（図３Ｂ）を含む。したがって、実施例による送信端末は典型的にＢＥＲを改善するためにＡＣＫ／ＮＡＣＫ情報を反復して転送する。
【００４９】
複数の端末により使われるＴＤＭの場合を考慮する。このシナリオで、ＡＣＫ／ＮＡＣＫ情報は、特定周波数にわたってサブフレームに割り当てられた長いブロック（Ｌｏｎｇ  Ｂｌｏｃｋ：ＬＢ）（例えば、図３ＡのＬＢ＃３）で反復して転送されることができる。このような構造は典型的にＢＥＲ特性を改善する。
【００５０】
特定周波数にわたる反復転送は、周波数帯域にわたってＡＣＫ／ＮＡＣＫ情報を転送したり、または特定シーケンスにＡＣＫ／ＮＡＣＫ情報をマッピングすることによって達成することができる。ＤＦＴは、このＡＣＫ／ＮＡＣＫ情報上に選択的に行われることができる。好ましくは、ＡＣＫ／ＮＡＣＫ情報はまた、ブロックコーディングを用いて反復して転送されることができる。
【００５１】
ＦＤＭを用いて多数の端末から転送された情報を多重化する状況を考慮する。このシナリオで、ＡＣＫ／ＮＡＣＫ情報は、サブフレームに割り当てられた多数のＬＢ（例えば、図３ＢのＬＢ＃１−ＬＢ＃６）内で反復的して転送されることができる。このような構造もまた典型的にＢＥＲ特性を改善する。いずれの場合においても、多数のＡＣＫ／ＮＡＣＫ信号が多重アンテナを用いるダウンリンク情報に応答して転送されることができる。一実施例で、ＡＣＫ／ＮＡＣＫ信号の数は、ダウンリンクデータ内に挿入されたＣＲＣの数と同一である（上述されている）。
【００５２】
端末は、ダウンリンクで各アンテナを通じて転送された情報の各部分にＣＲＣが挿入される場合、これに応答して受信したＣＲＣの数に対応するＡＣＫ／ＮＡＣＫ信号の数を（アップリンクで）転送する。端末がこのような方式で多数のＡＣＫ／ＮＡＣＫ信号を転送すると、多数の特定の時間にＡＣＫ／ＮＡＣＫ信号も反復して転送する。このような動作は、転送されたＡＣＫ／ＮＡＣＫ信号のＢＥＲ特性を改善するのに用いられることができる。
【００５３】
例えば、ＡＣＫ／ＮＡＣＫ信号の数をＭとする。Ｍ個のＡＣＫ／ＮＡＣＫ信号は、ＡＣＫ／ＮＡＣＫ１、ＡＣＫ／ＮＡＣＫ２、…、ＡＣＫ／ＮＡＣＫＭ及び特定の時間Ｋにより表すことができる。この場合、ＡＣＫ／ＮＡＣＫ信号は下記のように反復して転送されることができる。
｛（ＡＣＫ／ＮＡＣＫ１−１、ＡＣＫ／ＮＡＣＫ１−２、…、ＡＣＫ／ＮＡＣＫ１−K）、（ＡＣＫ／ＮＡＣＫ２−１、ＡＣＫ／ＮＡＣＫ２−２、…、ＡＣＫ／ＮＡＣＫ２−K）、…、（ＡＣＫ／ＮＡＣＫＭ−１、ＡＣＫ／ＮＡＣＫＭ−２、…、ＡＣＫ／ＮＡＣＫＭ−K）｝。
【００５４】
選択的技術によって、ＡＣＫ／ＮＡＣＫ信号は、次のように反復して転送されることができる。
｛（ＡＣＫ／ＮＡＣＫ１−１、ＡＣＫ／ＮＡＣＫ２−１、…、ＡＣＫ／ＮＡＣＫＭ−１）、（ＡＣＫ／ＮＡＣＫ１−２、ＡＣＫ／ＮＡＣＫ２−２、…、ＡＣＫ／ＮＡＣＫＭ−２）、…、（ＡＣＫ／ＮＡＣＫ１−K、ＡＣＫ／ＮＡＣＫ２−K、…、ＡＣＫ／ＮＡＣＫＭ−K）｝。
【００５５】
図４Ａ及び図４Ｂは、本発明の実施例によるＤＦＴ−Ｓ−ＯＦＤＭ無線通信システムにおける送信端末でＢＥＲを減少させるための技術を示すブロック図である。まず、送信端が多重アンテナを用いて多数のＡＣＫ／ＮＡＣＫ信号を転送する場合を考慮する。この場合に、送信端は、例えば図４Ａ及び図４Ｂに示すような技術を用いて、これらの信号にブロックコーディングを行うことによってＡＣＫ／ＮＡＣＫ信号を転送することができる。
【００５６】
図４Ａを参照すると、転送する前に、まずＡＣＫ／ＮＡＣＫ及びＣＱＩ信号が個別ＤＦＴを用いて拡散される技術が示される。その代案技術が図４Ｂに示されている。図４Ｂでは、ＡＣＫ／ＮＡＣＫ信号がＤＦＴを通じて拡散されることなく副搬送波に直接マッピングされるのに対し、ＣＱＩ信号はＤＦＴを通じて拡散された後に副搬送波にマッピングされる。
【００５７】
ＡＣＫ／ＮＡＣＫ信号のＰＡＰＲ及びＢＥＲ特性を改善するために多数のＡＣＫ／ＮＡＣＫ信号が直接転送される必要はなく、その代わりに選択的に特定シーケンスにマッピングして転送されることができる。一技術によると、マッピングのための特定シーケンスが決定されることができる。一つのシーケンスが選択されることができ、このシーケンスに多数のＡＣＫ／ＮＡＣＫ信号がマッピングされることができる。好ましくは、該シーケンスは、ＰＡＰＲ及びＢＥＲ特性によってマッピングのための特定シーケンスとして選択されることができる。あるいは、ＢＰＳＫまたはＱＰＳＫのような従来の変調方式を用いてこれらの信号を変調した後にＡＣＫ／ＮＡＣＫ信号を転送しても良い。
【００５８】
図５は、本発明の一実施例によって割り当てられる副搬送波を選択する方法を示すブロック図である。この技術は、ＡＣＫ／ＮＡＣＫ及びＣＱＩ情報が転送される時に、これら情報の転送状態に基づいて副搬送波を選択する。
【００５９】
アップリンクで非データ関連制御情報に充分な数の副搬送波を割り当てることは、端末データを転送するのに必要な副搬送波の数を減らすことができる。ＡＣＫ／ＮＡＣＫ及びＣＱＩ情報は、上述のように個別的に転送されることができる。しかし、副搬送波の割当がＡＣＫ／ＮＡＣＫ及びＣＱＩ情報の両方が転送される時に行われる場合、周波数資源が效率的に割り当てられることができる。これは、単にＡＣＫ／ＮＡＣＫ情報のみ転送される場合、単にＣＱＩ情報のみ転送される場合、または、ＡＣＫ／ＮＡＣＫ及びＣＱＩ情報が同時に転送される場合が区分されない特別な場合である。
【００６０】
したがって、本発明の実施例による送信端末は、ＡＣＫ／ＮＡＣＫ及びＣＱＩ情報がそれぞれ転送されるかを識別するために、非データ関連制御情報のうち、ＡＣＫ／ＮＡＣＫ及びＣＱＩ情報を区分して受信することができる。このような識別に基づき、端末は、ＡＣＫ／ＮＡＣＫ情報のみが転送される、ＣＱＩ情報のみが転送される、または、ＡＣＫ／ＮＡＣＫ及びＣＱＩ情報が同時に転送される各場合に適合した副搬送波を割り当てることができる。この実施例は、ＡＣＫ／ＮＡＣＫ及びＣＱＩ情報がそれぞれ転送されるかを識別するために、非データ関連制御情報のうち、ＡＣＫ／ＮＡＣＫ及びＣＱＩ情報を区分する。この実施例は、周波数資源を效率的に管理し、転送のための周波数資源の増加された量を割り当てることを可能し、周波数ダイバーシティを得ることができる。
【００６１】
様々な実施例の利点は、端末が、データ復調と関連していない非データ関連制御情報のうちＡＣＫ／ＮＡＣＫ及びＣＱＩ情報を区分し、この情報を、周波数資源にマッピングする前に個別的にプロセシングすることを含む。これは、基地局が同じ資源ブロックを通じて多数の端末からＡＣＫ／ＮＡＣＫ及びＣＱＩ情報を個別的に受信する時にも、基地局が受信した制御情報を容易にプロセシングできるようにする。なお、ＡＣＫ／ＮＡＣＫ情報のＢＥＲ特性の改善は、ＦＤＭが適用される時には特定時間周期にわたって、またはＴＤＭが適用される時には特定周波数にわたってアップリンクでＡＣＫ／ＮＡＣＫ情報を反復して転送することによって得ることができる。
【００６２】
多数のＡＣＫ／ＮＡＣＫ信号が転送される時、ＰＡＰＲ及び／またはＢＥＲ特性の改善はまた、転送されたＡＣＫ／ＮＡＣＫ信号に対してプロセスを行うことによって得ることができる。かかる信号の例には、ブロックコーディング、特定シーケンスへのマッピング、ＢＰＳＫまたはＱＰＳＫによる変調を含む。
【００６３】
周波数資源割当
さらに他の各実施例は、アップリンク多重搬送波または単一搬送波（ＳＣ）ＦＤＭＡシステムでＡＣＫ／ＮＡＣＫ転送のための周波数資源を割り当てることに関する。図６は、アップリンクサブフレームフォーマットを示す図である。図６で、長いブロック（ＬＢ）は、データ及び制御情報転送のために使われ、短いブロック（ＳＢ）は、パイロット及びデータ転送のために使われる。
【００６４】
端末によるアップリンク転送は、下記の場合に分類されることができる：
− 端末データ、パイロット、データ関連制御；
− 端末データ、パイロット、データ関連制御、非データ関連制御；
− パイロット、非データ関連制御。
【００６５】
これらの場合は、例えば図７及び図８に示す様々な多重化技術を用いて多重化されることができる。図６のサブフレームフォーマットは、端末データと共にデータ関連制御情報及び非データ関連制御情報を多重化すること、及び、多数の端末の非データ関連制御情報を同時に多重化することを含む。
【００６６】
図７で、データ関連制御情報及び端末データが多重化されるにもかかわらず、あらかじめ決定された時間−周波数領域は多数の端末の非データ関連制御情報の転送のために決定される。端末データが存在する場合、非データ関連制御情報は端末データの転送のための帯域で転送され、その代わりに非データ関連制御情報のために決定された帯域では端末データが転送される。この技術の利点はＳＣ−ＦＤＭＡ特性を維持できるということである。
【００６７】
図７及び図８に示すように、端末データ及び非データ関連制御の帯域割当は同じ方式で行われる。特に、端末データが地域割当に対応する時、地域割当は、非データ関連制御においても同様に適用される。しかし、非データ関連制御情報のうち、ＡＣＫ／ＮＡＣＫ情報は、１ビットの大きさを有し、よって、チャネルコーディングされることができない。その結果、ＡＣＫ／ＮＡＣＫ情報の反復が行われて特定誤り率を得ることができる。
【００６８】
図９Ａ〜図９Ｃは、ＳＣ−ＦＤＭＡ／ＯＦＤＭＡシステムのアップリンクでＡＣＫ／ＮＡＣＫ信号転送のための周波数資源を割り当てることと関連した実施例及びそれらの変形を示す図である。一般的に、アップリンクで周波数資源を割り当てる２種類の技術がある。その一つは、全体周波数帯域で等間隔に転送データを配置する分散方法である（図９Ａ）。もう一つは、特定周波数帯域で転送データを配置する地域化された方法である（図９Ｂ、図９Ｃ）。
【００６９】
ＡＣＫ／ＮＡＣＫ信号が典型的に１ビットの大きさを有するにも拘わらず、ＡＣＫ／ＮＡＣＫ信号の反復を行って特定誤り率を得ることができる。例えば、反復から獲得したＡＣＫ／ＮＡＣＫ信号がＮ資源ユニット（ＲＵ）を通じて転送されるとする。地域化された方法を用いてＮＲＵを通じた反復されたＡＣＫ／ＮＡＣＫ信号転送で、ＡＣＫ／ＮＡＣＫがＮ ＲＵにより占有された周波数資源よりも小さい場合にも同様に、二つの追加的方法が実行されることができる。その一つは、反復されるＡＣＫ／ＮＡＣＫ信号を連続した周波数資源に割り当てる方法で、もう一つは、ＡＣＫ／ＮＡＣＫ信号をＮＲＵに、例えば、偶数間隔（ｅｖｅｎ  ｉｎｔｅｒｖａｌ）を用いて配置する方法である。したがって、ＡＣＫ／ＮＡＣＫ転送のための周波数資源の割当技術は、下記のように要約されることができる；
分散（ｄｉｓｔｒｉｂｕｔｅｄ）；
地域化（ｌｏｃａｌｉｚｅｄ）；
純粋地域化（ｐｕｒｅ  ｌｏｃａｌｉｚｅｄ）；
割り当てられた周波数資源内での分散。
【００７０】
多重コードワードＡＣＫ／ＮＡＣＫ
また、さらに他の実施例は、移動通信システムにおけるＨＡＲＱに関するものである。特に、多重コードワード（ＭＣＷ）形ＭＩＭＯ無線システムでＡＣＫ／ＮＡＣＫ信号を転送する装置に関する。説明される如く、この実施例は、例えば、多重のＭＣＷ形態の転送及び受信アンテナを用いてＡＣＫ／ＮＡＣＫ信号を転送することを含む広範囲な応用に適している。
【００７１】
一般的に、移動通信システムで多重転送及び受信アンテナは、転送率を高めるのに用いられることができる。多重アンテナを用いたデータ転送は、二つの主要技術を用いて得ることができる。第一に、データは転送ダイバーシティフォーマットで転送されることができる。この場合、転送率は上がらないが、受信された信号の信号対雑音比（ＳＮＲ）が増加して安定した動作を可能にする。これは、同じデータが多数のアンテナを通じて転送されるためである。第二に、空間多重化フォーマットでデータを転送する。この場合に、同時に多数の独立データストリームを転送すると転送率を増加させる効果につながる。したがって、転送ダイバーシティ（ｔｒａｎｓｍｉｔ  ｄｉｖｅｒｓｉｔｙ）転送は、低いＳＮＲを持つ地域で効率的であり、空間多重化転送は高いＳＮＲを持つ地域で効率的である。
【００７２】
図１０Ａ及び図１０Ｂは、ＭＩＭＯ無線移動通信システムで用いるために構成されたＳＣＷ及びＭＣＷ送信端を示すブロック図である。多数のデータストリームが同時に転送されうるということは多数の場合で理解できる。例えば、コーディングは一つのチャネルエンコーダにより行われた後、データは多数のデータストリームに分割される。この技術は通常、単一コードワード（ＳＣＷ）を用いた転送と呼ばれる。
【００７３】
図１１は、本発明の一実施例によるＡＣＫ／ＮＡＣＫ転送装置を示すブロック図である。この実施例は、多数のストリームを転送する技術を提供するが、チャネルエンコーダを経て多数のデータストリームを個別的にコーディングした後、エンコーディングされたデータストリームを転送する技術を含む。この技術は通常、多重コードワード（ＭＣＷ）を用いた転送と呼ばれる。
【００７４】
ＳＣＷ技術は、一つのブロックがコーディングされた後に分割されることを含む。誤り検査のための一つのＣＲＣが各ブロックに添付されるので、受信機は典型的に一つのＡＣＫ／ＮＡＣＫ信号のみを転送する。これに対し、ＭＣＷでは、多数のブロックがコーディングされた後、データストリームに変わる。ＣＲＣがブロック別に添付されると、ＡＣＫ／ＮＡＣＫ信号も各データストリームに対して転送されなければならない。
【００７５】
一般的に、ＭＣＷはＳＣＷの転送率よりも高い転送率を得ることができる。その結果、ＭＣＷは、通常、転送されるＡＣＫ／ＮＡＣＫ情報が増加するにもかかわらずに用いられている。しかし、ＭＣＷが各データストリームに対してＡＣＫ／ＮＡＣＫ信号を転送する状況で、受信機は、多数のＡＣＫ／ＮＡＣＫ転送のために無線資源を保護しなければならない。制御情報の増加はデータ転送のための無線資源を減少させ、その結果、システム効率性が低下する。
【００７６】
以下、本発明の様々な様相及び実施例が記述される。一般的に、これらの実施例は、ＭＣＷ形態のＭＩＭＯ無線システムにおけるＡＣＫ／ＮＡＣＫ信号を転送する装置を含む。例えば、この装置は、転送されるＡＣＫ／ＮＡＣＫ信号の数を、高い転送率のＭＣＷを維持することによって減らすことができる。
【００７７】
一様相は、無線通信システムで多数のＭＣＷ形態の転送及び受信アンテナを用いてＡＣＫ／ＮＡＣＫ信号を転送することを含む。様々な演算（ｏｐｅｒａｔｉｏｎ）は、多数のアンテナを通じて受信した多数のデータストリームに挿入された複数の誤り検出コードに対応する多数のＡＣＫ／ＮＡＣＫを生成すること、これら多数のＡＣＫ／ＮＡＣＫを結合することによってＡＣＫ／ＮＡＣＫを生成すること、そして、この生成されたＡＣＫ／ＮＡＣＫをアンテナを通じて転送すること、を含む。
【００７８】
他の様相は、多数のアンテナを通じて受信した多数のデータストリームに挿入された複数の誤り検出コードに対応する多数のＡＣＫ／ＮＡＣＫを生成し、これら多数のＡＣＫ／ＮＡＣＫをグルーピング（ｇｒｏｕｐｉｎｇ）する。この方法は、多数のグルーピングされたＮＡＣＫ／ＮＡＣＫをこのような多数のグループに結合することによって、グループ当たり（ｐｅｒ  ｇｒｏｕｐ）一つのＡＣＫ／ＮＡＣＫを生成し、該生成されたＡＣＫ／ＮＡＣＫグループをアンテナを通じて転送することをさらに含む。
【００７９】
一様相は、グルーピング演算で、対応するデータストリームの形態によって多数のＡＣＫ／ＮＡＣＫをグルーピングすることを含む。
【００８０】
他の様相は、ＣＲＣコードのような誤り検出コードを用いる。
【００８１】
さらに他の様相は、多数の送信アンテナを通じて一つのタイムスロットに対して受信されたデータストリームを転送することを含む。
【００８２】
さらに他の様相は、ＡＮＤ演算により多数のＡＣＫ／ＮＡＣＫを結合することを含む。
【００８３】
一実施例で、多数のＭＣＷ形態の送受信アンテナを用いて無線通信システムでＡＣＫ／ＮＡＣＫを転送する装置は、多数のアンテナを通じて受信した多数のデータストリーム内に挿入された複数の誤り検出コードに対応する多数のＡＣＫ／ＮＡＣＫを生成する誤り検査ユニットを含む。この装置は、多数のＡＣＫ／ＮＡＣＫを結合することによって一つのＡＣＫ／ＮＡＣＫを生成する信号結合ユニットと、上記アンテナを通じて生成されたＡＣＫ／ＮＡＣＫを転送する信号転送ユニットと、を含む。
【００８４】
他の様相において、装置は、多数のＡＣＫ／ＮＡＣＫをグルーピングする制御ユニット、多数のグループに多数のグルーピングされたＮＡＣＫ／ＮＡＣＫを結合することによって各グループ当たり一つのＡＣＫ／ＮＡＣＫを生成する信号結合ユニットと、この生成されたＡＣＫ／ＮＡＣＫグループをアンテナを通じて転送する信号転送ユニットと、を含む。
【００８５】
一様相によれば、上記制御ユニットは、該当データストリームの形態によって多数のＡＣＫ／ＮＡＣＫをグルーピングする。
【００８６】
一様相は、ＣＲＣコードのような誤り検出コードと、多数の送信アンテナを通じて一つの時間スロットに転送された受信されたデータストリームと、ＡＮＤ演算により多数のＡＣＫ／ＮＡＣＫを結合する信号結合ユニットと、を用いる。
【００８７】
再び図１１を参照すると、受信端は多数のアンテナを含む。独立データが高速の転送率を得るように多数のアンテナを通じて転送される時、受信端のアンテナの数は、送信端末のアンテナの数よりも大きいか等しいくならなければならない。図１１は、ｎ個の情報ストリームを受信することを表すためのｎ個のアンテナを示す図である。
【００８８】
多数のアンテナを通じて受信された情報（例えば、図１１でｎ個の情報）は、送信端により行われるチャネルコーディング技術に対応してデコーディングされる。その後、ＣＲＣ検査ユニットは、各デコーディングされた情報ストリームに含まれたＣＲＣを用いて誤り検査を行う。このようなＣＲＣ検査の結果、誤りが存在すると、ＣＲＣ検査ユニットはＮＡＣＫを生成する。もし誤りがないと、ＣＲＣ検査ユニットはＡＣＫを生成する。したがって、ｎ個の異なる情報ストリームが並列に受信される時、ｎ個のＡＣＫ／ＮＡＣＫが転送される。この場合、ｎ個の受信されたデータストリームはｎ個の送信アンテナを通じて一つの時間スロットに転送されたデータストリームとすることができる。好ましくは、所定時間スロット内の情報ストリームは同時に処理されることができる。
【００８９】
図１１は、ｎ個のＡＣＫ／ＮＡＣＫが結合器（ｃｏｍｂｉｎｅｒ）に入力されて一つのＡＣＫ／ＮＡＣＫ信号に結合される様子を示す図である。例えば、ｎ個のＡＣＫ／ＮＡＣＫは、一つのＡＣＫ／ＮＡＣＫに結合されることができる。それらの信号が一つのＡＣＫ／ＮＡＣＫに結合されるようにＡＮＤ演算が行われる。特に、ＡＣＫ／ＮＡＣＫ１、ＡＣＫ／ＮＡＣＫ２、…、ＡＣＫ／ＮＡＣＫｎのようなｎ個のＡＣＫ／ＮＡＣＫを考慮する。結合されたＡＣＫ／ＮＡＣＫは、下記のように表現されることができる：
（結合された）ＡＣＫ／ＮＡＣＫ＝ＡＣＫ／ＮＡＣＫ１∩ＡＣＫ／ＮＡＣＫ２∩…∩ＡＣＫ／ＮＡＣＫｎ、
ここで、データが成功的に受信されると、ＡＣＫ／ＮＡＣＫ１〜ＡＣＫ／ＮＡＣＫｎはそれぞれ１の値を持つことができる。そうでないと、これら各ＡＣＫ／ＮＡＣＫは０の値を持つことができる。
【００９０】
結合されたＡＣＫ／ＮＡＣＫが１を指示すると、これは全体ｎ個のデータが成功的に受信されたと見なすことができる。もし、結合されたＡＣＫ／ＮＡＣＫが０を指示すると、これはｎ個のデータのうち少なくとも一つが成功的に受信されなかったことを指す。その結果、制御情報転送のための周波数資源が效率的に割り当てられることができる。
【００９１】
図１２は、本発明の他の実施例によるＡＣＫ／ＮＡＣＫ転送装置を示すブロック図である。この実施例で、多数の結合器の他に、制御ユニットが図１１に示す構成に追加される。
【００９２】
図１２で、ＣＲＣ検査ユニットにより生成されたｎ個のＡＣＫ／ＮＡＣＫのそれぞれは、制御ユニットに入力される。その後、制御ユニットは、入力されたＡＣＫ／ＮＡＣＫを多数のグループにグルーピングする。これらのグループは、受信されたデータストリームの形態によって分類されることができる。例えば、データの所定部分が成功的なデータ受信を検査するのに重要であり、且つ、個別的に処理される必要があるとすれば、個別的にグルーピングされることができる。あるいは、これらのＡＣＫ／ＮＡＣＫは、受信されたデータの形態に関らずに、転送される制御情報の大きさを適切に選択できるように、所定数のグループに分割されても良い。
【００９３】
上述したように、グルーピングされたＮＡＣＫ／ＮＡＣＫ信号は、多数の結合器により結合されてグループ当たり一つのＡＣＫ／ＮＡＣＫを生成する。一般的に、所定のグループに対応するＡＣＫ／ＮＡＣＫは、一つのＡＣＫ／ＮＡＣＫを含む。この様相で、対応するＡＣＫ／ＮＡＣＫは、ＡＣＫ／ＮＡＣＫ信号結合のための個別演算を経ずに結合演算が行われた他のＡＣＫ／ＮＡＣＫと同一の方式で処理される。
【００９４】
上記原理により選択されたグループの数がｍより小さいか等しく、よって、ｍ個のＡＣＫ／ＮＡＣＫを得ることができることをさらに考慮する。ｍ個のＡＣＫ／ＮＡＣＫは送信ユニットに入力され、以降アンテナを通じて転送される。
【００９５】
図１１及び図１２の実施例では、ＣＲＣコードを用いて実行された誤り検出コードについて説明した。これに限定されず、受信端により要請された信号である任意の誤り検出コードが、データ転送に成功したか否かに対する通報を受けるのに用いられても良い。
【００９６】
様々な実施例は、ＳＣＷの転送率よりも高速の転送率を持つＭＣＷを用いるにも関らず、受信端がＳＣＷレベルでＡＣＫ／ＮＡＣＫを転送できるようにする。選択的に、ｎ個のデータストリーム転送が特定臨界回数を下回ると、ｎ個のデータストリームのそれぞれに対する転送成功有無を表すＡＣＫ／ＮＡＣＫが、全体ｎ個のストリームの反復的な転送の代わりに、結合無しで転送されることができる。選択的に、多数の受信されたデータストリームのそれぞれを区分できるという仮定の下に、所定データの転送が所定回数失敗する状況を考慮する。所定のデータストリームの転送成功有無を表すためのＡＣＫ／ＮＡＣＫ情報が結合なしで独立して転送され、残りのＡＣＫ／ＮＡＣＫ信号が結合されて転送される。
【００９７】
ＡＣＫ／ＮＡＣＫは、送信端から転送されたデータが受信端で成功的に受信されたか否かを知らせる制御情報の一例であることがわかる。ＡＣＫ／ＮＡＣＫは、通常、ＨＡＲＱのために用いられる。しかし、例えば、上記した機能を行う任意の信号が、ＡＣＫ／ＮＡＣＫの代わりに用いられても良い。
【００９８】
アップリンクにおける副搬送波マッピング
様々な追加的実施例はアップリンクで副搬送波マッピングと関連する。特に、かかる実施例は、多数の副搬送波を用いて無線通信システムにおいてアップリンクに割り当てられた周波数資源に転送データを配置する方法と、これを具現する送信機と、を含む。
【００９９】
図１３Ａは、多数の副搬送波の地域割当（ｌｏｃａｌｉｚｅｄ  ａｌｌｏｃａｔｉｏｎ）を示す図である。同図で、地域割当は、アップリンクのために割り当てられた周波数資源の全体帯域のうち、一定帯域に隣接して分布する所定個数の副搬送波を通じて使用者データが転送されることをいう。使用者データは、残りの副搬送波に０を入力することによって一定帯域の副搬送波を通じてのみ転送される。
【０１００】
このような地域割当によって、アップリンク周波数資源の一部帯域のみが用いられる。しかし、転送データが一定個数の副搬送波を含む資源ユニット単位に転送される場合、周波数資源の一部帯域に連続して割り当てられた資源ユニット中の一定領域に転送データが集中して配置される傾向がある。
【０１０１】
図１３Ｂは、多数の副搬送波の分散された割当を示す図である。同図で、分散割当は、アップリンクのために割り当てられた周波数資源の全体帯域にわたって等間隔で分布した副搬送波を通じて使用者データが転送されることをいう。残りの副搬送波に０を入力することによって、システムは、分散して割り当てられた特定副搬送波のみを用いて使用者データを転送する。
【０１０２】
分散割当は、周波数ダイバーシティを増加させる目的で、アップリンク周波数資源の全体帯域にわたってデータを分散して転送することができる。したがって、分散割当は、チャネルの影響に強いという利点がある。しかし、短いブロックでパイロットが転送される時、パイロット間隔が、長いブロックを用いる時よりも広くなるので、チャネル推定性能が低下することができる。
【０１０３】
概括として、様々な実施例は、割り当てられた一部帯域内でデータを分散して再転送するための副搬送波を配置する方法と、これを支援する送信機を含む。チャネル影響は、地域割当を用いて最小化する。
【０１０４】
一様相は、データを分散して転送する副搬送波を配置し、これを支援する送信機を含む。所定個数の副搬送波は一定個数にまとめて地域割当によって分散して配置される。
【０１０５】
他の実施例は、データ転送のための副搬送波がアップリンクのために割り当てられた周波数資源に配置される時にアップリンクで副搬送波を配置する方法に関する。一動作は、アップリンクのために割り当てられた周波数資源の地域帯域でデータ転送のための副搬送波を配置することを含み、これらの副搬送波は地域帯域の全体部分において同一間隔で分布する。
【０１０６】
一特徴によれば、転送データは、所定のビットで反復してコーディングされた制御信号である。
【０１０７】
他の特徴において、転送データは、所定個数の副搬送波を備えたＮ個（Ｎ＝１、２、３、…）の資源ユニットを通じて転送され、これらの副搬送波は、アップリンクのために割り当てられた周波数資源の地域帯域でＮ個の資源ユニットを配置する方式で配置され、副搬送波は、Ｎ個の資源ユニットにより占有された全体帯域にわたって等間隔で分布する。
【０１０８】
他の様相において、データ転送のための副搬送波がアップリンクのために割り当てられた周波数資源に配置される時に、アップリンクで副搬送波を配置する方法は、アップリンクのために割り当てられた周波数資源の全体帯域にわたって少なくとも二つの副搬送波によりデータを転送するように副搬送波をグルーピングし、グルーピングされた副搬送波は等間隔で分散されることを含む。
【０１０９】
さらに他の特徴は、所定個数の副搬送波を備えたＮ個（Ｎ＝１、２、３、…）の資源ユニットを通じて転送された転送データと関連しており、副搬送波は、等間隔でアップリンクのために割り当てられた周波数資源の全体帯域でＮ個の資源ユニットを分散する方式で配置される。この方法は、副搬送波を少なくとも二つの副搬送波にグルーピングし、Ｎ個の各資源ユニット内にグルーピングされた副搬送波を配置することをさらに含む。
【０１１０】
さらに他の様相において、装置は、アップリンクのために割り当てられた周波数資源の地域帯域にデータ転送のための副搬送波を配置する副搬送波配置モジュールを含み、これらの副搬送波は、地域帯域の全体部分において等間隔で分散される。
【０１１１】
一特徴において、転送データは、所定個数の副搬送波を備えたＮ個（Ｎ＝１、２、３、…）の資源ユニットを通じて転送され、副搬送波は、アップリンクのために割り当てられた周波数資源の地域帯域でＮ個の資源ユニットを配置する方式で配置され、副搬送波を、Ｎ個の資源ユニットで占められた全体帯域にわたって等間隔で分散する。
【０１１２】
他の様相において、アップリンクで副搬送波を配置する転送装置は、アップリンクのために割り当てられた周波数資源の全体帯域にわたって少なくとも二つの副搬送波によってデータ転送のための副搬送波をグルーピングし、グルーピングされた副搬送波は等間隔で分散される。
【０１１３】
図１４は、ＯＦＤＭを用いてアップリンク転送をする方法を示すブロック図である。ブロック２１０で、高速の転送率を持つデータストリームは直列に入力され、直／並列変換器を通じて低速転送率を持つ多数のデータストリームに変換される。並列−変換された各データストリームは、副搬送波マッパーを通じて対応副搬送波と乗算され（ブロック２２０）、その後、逆離散フーリエ変換（ＩＤＦＴ）によって時間−領域信号に変換される（ブロック２３０）。ブロック２４０では、チャネル干渉を防止するために時間領域信号に循環前置を挿入する。信号は、直列信号に変換されたのち受信端に転送される（ブロック２５０）。
【０１１４】
ＯＦＤＭＡは、直交する多数の副搬送波を用いて変調を行うシステムで、使用可能な副搬送波の一部を互いに異なる使用者に提供して多重接続を実現する多重接続方法のことをいう。ＯＦＤＭＡは、副搬送波のような周波数資源を異なる使用者に提供する。周波数資源が独立して多数の使用者に提供されるので、互いに重畳されない。
【０１１５】
副搬送波の間に直交性が維持されるので、高い転送率を得ることができる。しかし、ピーク対平均電力比（ＰＡＰＲ）に関する問題が発生する。この問題を效果的に最小化するために、拡散がＤＦＴ行列を用いて周波数領域で行われる。この動作は、典型的にＯＦＤＭ信号生成前に行われる。拡散の結果がＯＦＤＭによって変調されて単一搬送波転送が得られる。このような場合を、ＤＦＴ−Ｓ−ＯＦＤＭＡと称する。
【０１１６】
図１５は、ＤＦＴ−Ｓ−ＯＦＤＭＡによる転送信号の生成を示すフローチャートである。この技術は、図１に示すそれと略同様であり、ブロック３１０〜３４０は、図１のブロック１１０〜１４０に対応する。ただし、循環前置挿入（ブロック３５０）がブロック３６０の並列／直列変換前に起きるという点が異なる。
【０１１７】
ＯＦＤＭＡまたはＤＦＴ−Ｓ−ＯＦＤＭＡを用いる多重搬送波システムにおいて、端末データ、パイロット、及び制御情報などがアップリンクで転送される。端末データがアップリンクで転送されると、対応する制御情報はダウンリンクで転送される。対応する制御情報を用いて、転送帯域が割り当てられたりまたはデータ転送フォーマットが決定される。
【０１１８】
パイロット信号は、２タイプに分けられることができる。ＣＱパイロットは、端末スケジューリング、適応変調及びコーディングを行うためのチャネル品質を測定するのに用いられる。また、データパイロットは、データ転送でチャネル推定及びデータを復調するのに用いられる。データパイロットは対応領域に転送されたパイロットである。上述したように、制御情報は、データ関連制御情報及び非データ関連制御情報を含む。上記の端末データ、パイロット、及び制御情報は、所定の構造を有するサブフレームを通じて転送されることができる。一例として、３ＧＰ  ＰＬＴＥで提案したアップリンクのためのＦＤＤサブフレームを含む。好適なサブフレームが図３Ａに示されている。
【０１１９】
図３Ａを再び参照すると、循環前置（ＣＰ）がブロック間干渉を避けるために各ブロックの間に挿入されている。この配置で、長いブロック（ＬＢ）は、アップリンクデータまたは制御情報を転送するのに用いられることができ、短いブロック（ＳＢ）は、アップリンクデータまたはパイロットを転送するのに用いられることができる。
【０１２０】
サブフレームを多重化する第１方法は、端末データ、パイロット、及びデータ復調と関連する復調情報を多重化することを含む。第２の多重化方法は、端末データ、パイロット、データ関連制御情報を多重化することを含む。第３の多重化方法は、パイロット及び非データ関連制御情報を多重化することを含む。
【０１２１】
図７を再び参照すると、特定使用者のためのデータ関連制御情報及び非データ関連制御情報を該当の使用者の端末データと多重化すると同時に、その他の使用者に対する非データ関連制御情報を共に多重化する。したがって、各資源ブロックは同一の種類のアップリンクデータを含む。
【０１２２】
図８を再び参照すると、特定使用者に対するデータ関連制御情報と端末データが多重化され、該特定使用者を含む多数の使用者に対する非データ関連制御情報は、別に備えられた一定の時間−周波数領域（図８のハッチング領域）を通じて転送される。図７及び図８に示すように、サブフレームにより搬送される各種データは、時間領域で多重化され、低いＰＡＰＲを持つＤＦＴ−Ｓ−ＯＦＤＭの長所を維持する。
【０１２３】
特定使用者に対する端末データ及び非データ関連制御情報は、同じサブフレームで多重化されて転送されるので、端末データ及び非データ関連制御情報には、同一タイプの周波数割当方式が適用されることが普通である。特に、端末データに地域割当が適用されると、非データ関連制御情報にも地域割当方法が適用されなければならない。
【０１２４】
前述したように、ＡＣＫ／ＮＡＣＫは相対的に少ないビットの数で表現されることができる。例えば、端末は、誤り率の改善のために反復してＡＣＫ／ＮＡＣＫを転送できる。例えば、図３Ａ及び図３Ｂに基づいて前述された各種技術を用いてこれを達成することができる。
【０１２５】
反復されたＡＣＫ／ＮＡＣＫは、所定個数の連続した副搬送波がまとめられてなる資源ユニットを通じて転送されることができることに留意されたい。資源ユニットは、一般的に２５個の長いブロック周波数間隔を含むが、これに限定されることはない。選択的に、資源ユニットは、異なる長さの長いブロック周波数間隔（例えば、１５、１２、１０など）を含んでも良い。通常の資源ユニットの大きさを表現すると、下記の通りである：
ＲＵ＝２５＊１５ＫＨｚ(ＬＢ)＝３７５ＫＨｚ
したがって、上述した周波数割当技術のうち、地域割当は、Ｎ個の資源ユニットが連続して一部帯域に割り当てられると見なされることができる。上述した周波数割当方法のうち、分散割当は、Ｎ個の資源ユニットが不連続的に全体帯域にわたって等間隔で割り当てられると見なされることができる。
【０１２６】
地域割当において、ＡＣＫ／ＮＡＣＫ信号転送のための副搬送波に割り当てられた周波数資源が、Ｎ個の資源が占める周波数資源よりも小さい。一例として、図１６は、資源ユニット及びＡＣＫ／ＮＡＣＫ転送のために用いられた副搬送波の分布を示す図である。特に、Ｎ個の資源ユニットは、アップリンク周波数資源の一部帯域に連続して割り当てられる。Ｎ個の資源ユニットに含まれた副搬送波のうち反復されたＡＣＫ／ＮＡＣＫ信号の転送に用いられる副搬送波は、Ｎ個の資源ユニットが占める周波数資源において特定帯域（図１６で中央帯域）に密集して配置されることができる。この場合を、純粋地域割当と称する。
【０１２７】
上述した如く、地域割当は、隣接したチャネルを通じてデータが転送されるので、チャネルの影響に弱い。純粋地域割当は、Ｎ個の資源ユニットが隣接するだけでなく、Ｎ個の資源ユニットに含まれた転送対象の副搬送波が特定帯域に密集しているので、チャネルの影響に一層脆弱になる。
【０１２８】
この脆弱性を改善するために、改善された地域割当（割り当てられた周波数資源内で分布される）が用いられることができる。図１７は、改善された地域割当を用いた副搬送波配置の一例である。これらの技術は、Ｎ個の資源ユニットに地域割当を適用するものの、Ｎ個の資源ユニットに含まれた転送対象の副搬送波に分散割当を適用する。特に、実際にＡＣＫ／ＮＡＣＫ信号転送に用いられる副搬送波が、全体周波数資源にわたって等間隔で不連続的に配置される。
【０１２９】
図１８は、ＡＣＫ／ＮＡＣＫ信号転送のために用いられる副搬送波の分布を示す図である。分散割当を用いて周波数ダイバーシティを得ることができる。短いブロックでパイロットが転送される時、パイロット間隔は長いブロックが使われる時よりも広くなる。このような配置はチャネル推定性能の低下を招き、好ましくない。チャネル推定性能を改善できる改善された分散割当は、ＡＣＫ／ＮＡＣＫ信号転送のための副搬送波を多数のグループにグルーピングすることによって得ることができ、各グループは少なくとも二つの副搬送波を含む。個別に副搬送波を配置する代わりにグループとして配置する。
【０１３０】
図１９Ａ及び図１９Ｂは、改善された分散割当を用いて副搬送波を配置するものの、二つの副搬送波を各グループとして配置する。図１９Ａは、各副搬送波は、長いブロックを用いてＡＣＫ／ＮＡＣＫ信号を転送するので、該当グループを構成する二つの副搬送波の間に、長いブロックだけの周波数間隔（例えば、１５ＫＨｚ）が存在する。
【０１３１】
受信端にＡＣＫ／ＮＡＣＫ信号を転送するためには、送受信端間に同期を合わせるためのパイロット情報が受信端に転送されなければならない。パイロット情報は、各副搬送波に対しては転送する必要がないので、本実施例ではグルーピングされた二つの副搬送波に対して一つのパイロット情報を転送するとする。パイロット情報は、短いブロックを通じて転送される。短いブロックの周波数帯域（例えば、３０ＫＨｚ）は、通常、長いブロックのそれの２倍になるので、、ＡＣＫ／ＮＡＣＫ信号の転送のための二つの副搬送波ごとに一つのパイロット情報を転送するという技術に符合する。
【０１３２】
図１９Ｂは、パイロット情報転送のための副搬送波の周波数資源割当を示す図である。ＡＣＫ／ＮＡＣＫ信号転送のための副搬送波を３個の単位にグループ化することを考慮すると、一つのグループが占めた周波数帯域（１５ＫＨｚ＊３＝４５ＫＨｚ）は、パイロット転送のための副搬送波が占めた周波数帯域（３０ＫＨｚ）と異なってくる。このために、これらのグループの間に３０ＫＨｚ間隔（ｇａｐ）が必要となる（図２０Ａ）。図２０Ｂに示すように、パイロット情報転送のための副搬送波は各６０ＫＨｚごとに配置されなければならないので、パイロットを用いたチャネル推定性能は、二つの副搬送波でグループを構成する場合よりも低下してしまう。
【０１３３】
上述したように、改善された地域割当または改善された分散割当は、典型的に、ＯＦＤＭＡ送信端の好適な副搬送波マッパー（例えば、図１５のブロック３３０）またはＯＦＤＭＡ送信端の副搬送波マッパー（例えば、図１４のブロック２２０）により行われる。選択的に、改善された地域割当または改善された分散割当は、各周波数資源割当を担当する副搬送波配置モジュールによって行われることができる。
【０１３４】
地域割当の利点は、周波数資源の效率的な利用を可能にし、地域的に割り当てられた資源ユニット内に転送データのための副搬送波を配置する。したがって、このような配置は、既存システムよりも大きくなる形でチャネル影響から保護される。他の利点は、チャネル影響を避けるための分散割当に関するものである。この実施例は、転送のために所定の個数の副搬送波をまとめて副搬送波を分散して配置する。したがって、従来システムと比較して、チャネル推定の低下が減少する。
【０１３５】
本発明の各実施例は、本願で記述された模範的な一連の動作を用いて具現されたものであるが、追加的なまたはより少ない動作が行われても良い。また、図示及び記述された動作の順序は例示に過ぎず、単一の動作順序が要求されるわけではない。
【０１３６】
上記の実施例及び長所は単なる例示に過ぎず、本発明を制限するためのものではない。本願は、他の形態の装置及びプロセッサに容易に適用されることができる。本発明の説明は、例示のためのもので、特許請求の範囲を制限するためのものではない。各種の代案、変更、変化が当業者には自明になる。
【図１】
2009540729.tif 000005
【図２Ａ】
2009540729.tif 000006
【図２Ｂ】
2009540729.tif 000007
【図２Ｃ】
2009540729.tif 000008
【図３Ａ】
2009540729.tif 000009
【図３Ｂ】
2009540729.tif 000010
【図４Ａ】
2009540729.tif 000011
【図４Ｂ】
2009540729.tif 000012
【図５】
2009540729.tif 000013
【図６】
2009540729.tif 000014
【図７】
2009540729.tif 000015
【図８】
2009540729.tif 000016
【図９Ａ】
2009540729.tif 000017
【図９Ｂ】
2009540729.tif 000018
【図９Ｃ】
2009540729.tif 000019
【図１０Ａ】
2009540729.tif 000020
【図１０Ｂ】
2009540729.tif 000021
【図１１】
2009540729.tif 000022
【図１２】
2009540729.tif 000023
【図１３Ａ】
2009540729.tif 000024
【図１３Ｂ】
2009540729.tif 000025
【図１４】
2009540729.tif 000026
【図１５】
2009540729.tif 000027
【図１６】
2009540729.tif 000028
【図１７】
2009540729.tif 000029
【図１８】
2009540729.tif 000030
【図１９Ａ】
2009540729.tif 000031
【図１９Ｂ】
2009540729.tif 000032
【図２０Ａ】
2009540729.tif 000033
【図２０Ｂ】
2009540729.tif 000034
【国際調査報告】
2009540729.tif 000035
2009540729.tif 000036
2009540729.tif 000037